(57)【要約】【課題】室内機本体内にシロッコファンを備える空気調和機の室内機において、空気が吹き出される吹出口の開口面積を十分に確保できる構成を提供する。【解決手段】本実施形態に係る空気調和機の室内機は、外郭を構成する室内機本体と、前記室内機本体の一面に設けられ、空気を吹き出す吹出口と、前記室内機本体内に設けられ、前記吹出口に接続する送風経路と、前記送風経路内に設けられるシロッコファンと、を備え、前記吹出口の中心線を境界として前記室内機本体を第１領域および第２領域に分けた場合に、前記シロッコファンは、その全体が前記第１領域および前記第２領域の何れか一方に収まっている。【選択図】図４
2018059641.tif 000002
【特許請求の範囲】
【請求項１】
外郭を構成する室内機本体と、
前記室内機本体の一面に設けられ、空気を吹き出す吹出口と、
前記室内機本体内に設けられ、前記吹出口に接続する送風経路と、
前記送風経路内に設けられるシロッコファンと、を備え、
前記吹出口の中心線を境界として前記室内機本体を第１領域および第２領域に分けた場合に、前記シロッコファンは、その全体が前記第１領域および前記第２領域の何れか一方に収まっている空気調和機の室内機。
【請求項２】
前記シロッコファンの駆動を制御する電気部品箱をさらに備え、
前記電気部品箱は、前記第１領域および前記第２領域のうち前記シロッコファンの全体が収まっている領域とは反対側の領域に設けられている請求項１に記載の空気調和機の室内機。
【請求項３】
前記送風経路のうち前記吹出口に接続される部分は、前記シロッコファンと反対側の壁部が前記吹出口に対して傾いている請求項１または２に記載の空気調和機の室内機。
【請求項４】
前記送風経路のうち前記吹出口に接続される部分は、前記シロッコファン側の壁部が当該シロッコファンに沿うように延びるノーズ部となっており、前記シロッコファンと反対側の壁部が前記ノーズ部よりも風上側から前記吹出口に対して傾いている請求項３に記載の空気調和機の室内機。
【発明の詳細な説明】
【技術分野】
【０００１】
本発明の実施形態は、空気調和機の室内機に関する。
【背景技術】
【０００２】
例えば特許文献１に開示されている空気調和機の室内機は、いわゆる壁掛け式の室内機であり、外郭を構成する室内機本体の内部に、吹出口に接続する送風経路を備えている。そして、この室内機は、送風経路の内部にシロッコファンを備えている。
【先行技術文献】
【特許文献】
【０００３】
【特許文献１】特開平２−１７１５１９号公報
【発明の概要】
【発明が解決しようとする課題】
【０００４】
この種の室内機においては、室内機本体内におけるシロッコファンの配置位置により吹出口の大きさ、つまり、空気が吹き出される開口面積が制限されてしまう。つまり、例えば室内機本体内に１つのシロッコファンを配置する場合、当該シロッコファンを室内機本体内の中央に配置してしまうと、その左右のスペースが限られてしまい、十分な大きさの開口面積を有する吹出口を設けることが困難となる。
【０００５】
そこで、室内機本体内にシロッコファンを備える空気調和機の室内機において、空気が吹き出される吹出口の開口面積を十分に確保できる構成を提供する。
【課題を解決するための手段】
【０００６】
本実施形態に係る空気調和機の室内機は、室内機本体、吹出口、送風経路、シロッコファンを備える。室内機本体は、室内機の外郭を構成する。吹出口は、前記室内機本体の一面に設けられ、空気を吹き出す。送風経路は、前記室内機本体内に設けられ、前記吹出口に接続する。シロッコファンは、前記送風経路内に設けられる。そして、前記吹出口の中心線を境界として前記室内機本体を第１領域および第２領域に分けた場合に、前記シロッコファンは、その全体が前記第１領域および前記第２領域の何れか一方に収まっている。
【図面の簡単な説明】
【０００７】
【図１】本実施形態に係る空気調和機の室内機の構成例を概略的に示す正面図
【図２】空気調和機の室内機の構成例を概略的に示す横断平面図
【図３】空気調和機の室内機の構成例を概略的に示す分解斜視図
【図４】空気調和機の室内機の構成例を概略的に示す縦断正面図
【図５】空気調和機の室内機の変形例を概略的に示す縦断正面図（その１）
【図６】空気調和機の室内機の変形例を概略的に示す縦断正面図（その２）
【発明を実施するための形態】
【０００８】
以下、空気調和機の室内機に係る一実施形態について図面を参照しながら説明する。図１〜図３に例示する空気調和機の室内機１０は、例えば室内の壁面の高所に取り付けられる、いわゆる壁掛け式の室内機であり、図示しない室外機とともに空気調和機を構成する。室内機１０の外殻を構成する室内機本体１１は、左右方向に長い長尺な矩形状なす。室内機本体１１は、上パネル１２、下パネル１３、ケーシング１４、吸込グリル１５、熱交換器１６、仕切板１７、シロッコファン１８、ファンモータ１９、後板２０、電気部品箱２１などを備える。
【０００９】
室内機本体１１は、上パネル１２、下パネル１３、吸込グリル１５、後板２０を組み合わせることにより、室内機１０の外郭を構成する矩形箱状の筐体を構成する。そして、室内機本体１１は、この矩形箱状の筐体内にケーシング１４を配置した構成となっている。熱交換器１６は、吸込グリル１５の裏側に配置され、シロッコファン１８による送風作用により室内機本体１１の外部から内部に吸い込まれる空気を熱交換する。熱交換器１６の下方には、ドレンパン２２が設けられている。ドレンパン２２は、冷房運転時において熱交換器１６から滴下する結露を受ける。
【００１０】
仕切板１７は、吸込グリル１５および後板２０に対して平行な平行面部２３、および、この平行面部２３の一端部からほぼ直角に折り曲げられた折曲面部２４を有する。平行面部２３は、室内機本体１１内においてケーシング１４と熱交換器１６の間に配置される。平行面部２３には、ほぼ円形状に開口する吸込口２５が設けられている。折曲面部２４は、室内機本体１１内においてケーシング１４の側面に沿うようにして配置される。折曲面部２４は、室内機本体１１内を、送風系統部１１Ａおよび制御系統部１１Ｂに仕切る。
【００１１】
ケーシング１４は、室内機本体１１内において送風系統部１１Ａ内に配置される。電気部品箱２１は、室内機本体１１内において制御系統部１１Ｂ内に配置される。電気部品箱２１の内部には、各種の電気部品が収容されている。電気部品箱２１内に収容される電気部品は、シロッコファン１８を回転させるファンモータ１９、熱交換器１６を含む冷凍サイクルの図示しない圧縮機などの駆動を制御する制御回路などが含まれる。また、室内機本体１１内には、熱交換器１６を含む冷凍サイクルを構成する配管を固定する配管固定具２６が設けられている。
【００１２】
ケーシング１４には、シロッコファン収容部３１および吹出口接続部３３が設けられている。シロッコファン収容部３１は、ほぼ円柱状の空間として設けられている。シロッコファン収容部３１内には、シロッコファン１８が回転可能に配置される。吹出口接続部３３は、シロッコファン収容部３１の上部に連通しており、室内機本体１１の一面、この場合、室内機本体１１の下面に設けられている吹出口４１に接続している。この場合、吹出口４１は、室内機本体１１の下面において当該室内機本体１１の左右方向に沿って延びている。
【００１３】
シロッコファン１８による送風作用により吸込口２５から吸い込まれる空気は、シロッコファン収容部３１内および吹出口接続部３３内を流れて吹出口４１から室内機本体１１の外部に吹き出される。吹出口４１には、当該吹出口４１から吹き出される空気の風向を調整するルーバ４２が、この場合、上下方向に回動可能に設けられている。なお、吹出口４１には、左右方向に回動するルーバを設けてもよい。
【００１４】
シロッコファン収容部３１および吹出口接続部３３により、室内機本体１１内には、吸込口２５から吹出口４１に至る送風経路５１が形成されている。よって、シロッコファン１８は、送風経路５１内、この場合、当該送風経路５１の一部を構成するシロッコファン収容部３１内に設けられた構成となっている。そして、この送風経路５１においてシロッコファン１８よりも風下側となる部分が、吹出口４１に接続される吹出口接続部３３として構成されている。
【００１５】
次に、室内機１０の内部構成について、さらに詳細に説明する。上述した室内機１０の構成例において、吸込口２５は、室内機本体１１の前面に設けられ、吹出口４１は、室内機本体１１の下面に設けられている。そして、図４に例示するように、室内機本体１１の吸込口２５が設けられる一面側、この場合、前面側から見て、吹出口４１の左右方向の中心線Ｌを境界として室内機本体１１を左側領域ＲＡおよび右側領域ＲＢに分けた場合に、シロッコファン１８は、その全体が左側領域ＲＡ内に収まっている。
【００１６】
一方、電気部品箱２１は、その全体が右側領域ＲＢ内に収まっている。即ち、電気部品箱２１は、左側領域ＲＡおよび右側領域ＲＢのうちシロッコファン１８の全体が収まっている領域ＲＡとは反対側の領域ＲＢ内に設けられている。
【００１７】
また、吹出口接続部３３は、シロッコファン１８と反対側の壁部である外側壁部３３ａが吹出口４１に対して傾いている。外側壁部３３ａの傾斜態様は、吹出口４１が延びる方向つまり室内機本体１１の左右方向に対し直交する直線Ｐと外側壁部３３ａの接線Ｑとがなす角度αが２０度〜５０度の範囲に収まる傾斜角度とすることが好ましい。この場合、外側壁部３３ａの傾斜角度αは、シロッコファン１８に近い風上側ほど大きく、吹出口４１に近い風下側ほど小さくなるように、傾斜角度αが部位によって異なる構成となっている。即ち、外側壁部３３ａは、曲線状に傾斜した形状となっている。
【００１８】
また、吹出口接続部３３は、シロッコファン１８側の壁部である内側壁部３３ｂが当該シロッコファン１８に沿うように延びるノーズ部６１を形成している。そして、外側壁部３３ａは、ノーズ部６１よりも風上側つまりノーズ部６１よりもシロッコファン１８側から吹出口４１に対して傾き始める構成となっている。この構成によれば、ノーズ部６１の先端部と、外側壁部３３ａのうちノーズ部６１の先端部に対向する部分とが、より近付いた状態となる。これにより、送風経路５１内、この場合、シロッコファン収容部３１の出口部分となる部位に、風が通る空間が縮小された縮小部７１が形成される。
【００１９】
空気調和機の室内機１０によれば、室内機本体１１の前面側から見て、吹出口４１の中心線Ｌを境界として室内機本体１１を左側領域ＲＡおよび右側領域ＲＢに分けた場合に、シロッコファン１８は、その全体が左側領域ＲＡ内に収まっている。この構成によれば、室内機本体１１内の中央から大きくずれた位置にシロッコファン１８が配置されるため、室内機本体１１の中央付近およびシロッコファン１８とは反対側の部分に吹出口４１を設けるためのスペースを十分に確保することができる。従って、空気が吹き出される吹出口４１の開口面積を十分に確保することができる。
【００２０】
また、室内機１０によれば、電気部品箱２１は、シロッコファン１８の全体が収まっている領域ＲＡとは反対側の領域ＲＢ内に設けられている。この構成によれば、室内機１０を構成する構成部品のうち、重量物であるファンモータ１９と電気部品箱２１を、室内機本体１１内の左右に分けて配置することができる。従って、室内機１０全体としての重心の位置を当該室内機１０の中央付近に調整することができ、例えば、室内機１０を据え付ける際の作業性、室内機１０を据え付けた後の安定性を向上することができる。
【００２１】
また、室内機１０によれば、吹出口接続部３３は、シロッコファン１８と反対側の外側壁部３３ａが吹出口４１に対して傾いている。この構成によれば、吹出口４１のうち特にシロッコファン１８と反対側の部分から吹き出される空気の風向が外側壁部３３ａの傾斜に沿って外側に広がるようになり、吹出口４１の開口方向だけでなく当該開口方向の外側にも空気を吹き出すことができる。よって、室内の広範囲に風を送ることができ、快適性の向上を図ることができる。
【００２２】
また、室内機１０によれば、吹出口接続部３３は、シロッコファン１８側の内側壁部３３ｂが当該シロッコファン１８に沿うように延びるノーズ部６１を形成している。そして、シロッコファン１８と反対側の外側壁部３３ａは、このノーズ部６１よりも風上側から吹出口４１に対して傾き始めている。この構成によれば、送風経路５１内に、風が通る空間が縮小された縮小部７１が形成されるため、シロッコファン１８の送風作用により流れる空気のスピードを当該縮小部７１を通過する際に上昇させることができ、吹出口４１から吹き出される空気を室内のより遠くまで送ることができる。
【００２３】
なお、本実施形態は、上述した一実施形態に限定されるものではなく、例えば以下のように拡張または変形することができる。
例えば、室内機１０は、電気部品箱２１を左側領域ＲＡ内、シロッコファン１８を右側領域ＲＢ内に収める構成としてもよい。この構成によっても、室内機本体１１の中央付近およびシロッコファン１８とは反対側の部分に吹出口４１を設けるためのスペースを十分に確保することができ、空気が吹き出される吹出口４１の開口面積を十分に確保することができる。また、重量物であるファンモータ１９と電気部品箱２１を室内機本体１１内の左右に分散して配置することができ、室内機１０の重心を安定させることができる。
【００２４】
また、図５に例示するように、室内機１０は、外側壁部３３ａを、吹出口４１に対し曲線状ではなく直線状に傾斜させた構成としてもよい。この構成によっても、吹出口４１のうち特にシロッコファン１８と反対側の部分から吹き出される空気の風向が外側壁部３３ａの傾斜に沿って外側に広がるようになり、室内の広範囲に風を送ることができ、快適性の向上を図ることができる。
【００２５】
また、図６に例示するように、室内機１０は、外側壁部３３ａを、吹出口４１に対し傾斜させない構成としてもよい。この構成によれば、室内の広範囲に風を送るという効果は得られにくくなるものの、吹出口４１の開口面積を十分に確保できるという効果、室内機１０の重心を安定させるという効果は十分に発揮することができ、室内機１０の有用な構成を提供することができる。
【００２６】
本実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。本実施形態およびその変形は、発明の範囲および要旨に含まれるとともに、特許請求の範囲に記載された発明とその均等の範囲に含まれる。
【符号の説明】
【００２７】
図面中、１０は空気調和機の室内機、１１は室内機本体、１８はシロッコファン、２１は電気部品箱、３３は吹出口接続部（送風経路のうち吹出口に接続される部分）、３３ａは外側壁部（シロッコファンと反対側の壁部）、３３ｂは内側壁部（シロッコファン側の壁部）、４１は吹出口、５１は送風経路、６１はノーズ部を示す。
【図１】
2018059641.tif 000003
【図２】
2018059641.tif 000004
【図３】
2018059641.tif 000005
【図４】
2018059641.tif 000006
【図５】
2018059641.tif 000007
【図６】
2018059641.tif 000008